【手続補正書】
【提出日】平成25年3月14日(2013.3.14)
【手続補正１】
【補正対象書類名】明細書
【補正対象項目名】００１０
【補正方法】変更
【補正の内容】
【００１０】
上記課題を解決するために、本発明に係る画像処理システムは、通信可能に接続された画像形成装置及び外部装置を備えている。画像形成装置は、前記画像形成装置において実行すべき処理を設定する設定手段と、前記外部装置において実行すべき処理を設定するためのＷｅｂページを、前記外部装置から受信する受信手段と、前記受信手段によって受信したＷｅｂページを表示する表示手段と、前記表示手段によって表示されたＷｅｂページを通してユーザによって入力された入力値を前記外部装置に送信する第１の送信手段と、前記入力された入力値に関連付けられた識別子を前記外部装置から受信する識別子受信手段と、前記外部装置における処理の実行対象となるデータと、前記識別子受信手段によって受信された前記識別子と、を前記外部装置に送信する第２の送信手段と、前記入力された入力値に従って前記外部装置が処理し、且つ、前記設定手段による設定に従って前記画像形成装置が処理したデータを画像形成する画像形成手段と、を有することを特徴とする。また、外部装置は、前記画像形成装置からＷｅｂページ要求を受信する要求受信手段と、前記要求受信手段が前記Ｗｅｂページ要求を受信した場合に、前記外部装置が実行すべき処理を設定するためのＷｅｂページを前記画像形成装置に送信するＷｅｂページ送信手段と、前記Ｗｅｂページを通して前記画像形成装置においてユーザによって入力された入力値を前記画像形成装置から受信すると、前記入力値と所定の識別子を関連付けて記憶する記憶手段と、前記識別子を前記画像形成装置に送信する識別子送信手段と、前記外部装置における処理の実行対象となるデータと前記識別子とを前記画像形成装置から受信するデータ受信手段と、前記データ受信手段により受信したデータを、前記識別子に関連付けられた前記入力値に基づいて処理する処理手段と、前記処理手段により処理したデータを前記画像形成装置に送信するデータ送信手段と、を有することを特徴とする。
【手続補正２】
【補正対象書類名】特許請求の範囲
【補正対象項目名】全文
【補正方法】変更
【補正の内容】
【特許請求の範囲】
【請求項１】
ネットワークを介して外部装置と接続することが可能な画像形成装置であって、
前記画像形成装置において実行すべき処理を設定する設定手段と、
前記外部装置において実行すべき処理を設定するためのＷｅｂページを、前記外部装置から受信する受信手段と、
前記受信手段によって受信したＷｅｂページを表示する表示手段と、
前記表示手段によって表示されたＷｅｂページを通してユーザによって入力された入力値を前記外部装置に送信する第１の送信手段と、
前記入力された入力値に関連付けられた識別子を前記外部装置から受信する識別子受信手段と、
前記外部装置における処理の実行対象となるデータと、前記識別子受信手段によって受信された前記識別子と、を前記外部装置に送信する第２の送信手段と、
前記入力された入力値に従って前記外部装置が処理し、且つ、前記設定手段による設定に従って前記画像形成装置が処理したデータを画像形成する画像形成手段と、
を有することを特徴とする画像形成装置。
【請求項２】
前記設定手段によって設定される処理は、前記画像形成装置に表示される設定画面を介して設定され、当該設定画面において所定のボタンが選択されるのに応じて、前記受信手段は前記Ｗｅｂページを前記外部装置から受信することを特徴とする請求項１記載の画像形成装置。
【請求項３】
ネットワークを介して画像形成装置と接続可能な外部装置であって、
前記画像形成装置からＷｅｂページ要求を受信する要求受信手段と、
前記要求受信手段が前記Ｗｅｂページ要求を受信した場合に、前記外部装置が実行すべき処理を設定するためのＷｅｂページを前記画像形成装置に送信するＷｅｂページ送信手段と、
前記Ｗｅｂページを通して前記画像形成装置においてユーザによって入力された入力値を前記画像形成装置から受信すると、前記入力値と所定の識別子を関連付けて記憶する記憶手段と、
前記識別子を前記画像形成装置に送信する識別子送信手段と、
前記外部装置における処理の実行対象となるデータと前記識別子とを前記画像形成装置から受信するデータ受信手段と、
前記データ受信手段により受信したデータを、前記識別子に関連付けられた前記入力値に基づいて処理する処理手段と、
前記処理手段により処理したデータを前記画像形成装置に送信するデータ送信手段と、
を有することを特徴とする外部装置。
【請求項４】
通信可能に接続された請求項１記載の画像形成装置及び請求項３記載の外部装置を備えることを特徴とする画像処理システム。
【請求項５】
ネットワークを介して外部装置と接続することが可能な画像形成装置において実行される画像処理方法であって、
前記画像形成装置において実行すべき処理を設定する設定ステップと、
前記外部装置において実行すべき処理を設定するためのＷｅｂページを、前記外部装置から受信する受信ステップと、
前記受信ステップによって受信したＷｅｂページを表示する表示ステップと、
前記表示ステップによって表示されたＷｅｂページを通してユーザによって入力された入力値を前記外部装置に送信する第１の送信ステップと、
前記入力された入力値に関連付けられた識別子を前記外部装置から受信する識別子受信ステップと、
前記外部装置における処理の実行対象となるデータと、前記識別子受信ステップによって受信された前記識別子と、を前記外部装置に送信する第２の送信ステップと、
前記入力された入力値に従って前記外部装置が処理し、且つ、前記設定ステップによる設定に従って前記画像形成装置が処理したデータを画像形成する画像形成ステップと、を有することを特徴とする画像形成装置の画像処理方法。
【請求項６】
ネットワークを介して画像形成装置と接続可能な外部装置で実行される画像処理方法であって、
前記画像形成装置からＷｅｂページ要求を受信する要求受信ステップと、
前記要求受信ステップで前記Ｗｅｂページ要求を受信した場合に、前記外部装置が実行すべき処理を設定するためのＷｅｂページを前記画像形成装置に送信するＷｅｂページ送信ステップと、
前記Ｗｅｂページを通して前記画像形成装置においてユーザによって入力された入力値を前記画像形成装置から受信すると、前記入力値と所定の識別子を関連付けて記憶する記憶ステップと、
前記識別子を前記画像形成装置に送信する識別子送信ステップと、
前記外部装置における処理の実行対象となるデータと前記識別子とを前記画像形成装置から受信するデータ受信ステップと、
前記データ受信ステップにより受信したデータを、前記識別子に関連付けられた前記入力値に基づいて処理する処理ステップと、
前記処理ステップにより処理したデータを前記画像形成装置に送信するデータ送信ステップと、を有することを特徴とする外部装置の画像処理方法。
【請求項７】
請求項５記載の画像形成装置の画像処理方法が有する各ステップと、請求項６記載の外部装置の画像処理方法が有する各ステップとを備えることを特徴とする、前記画像形成装置と前記外部装置とが通信可能に接続された画像処理システムの画像処理方法。
【請求項８】
請求項５記載の画像形成装置の画像処理方法が有する各ステップをコンピュータに実行させるプログラム。
【請求項９】
請求項６記載の外部装置の画像処理方法が有する各ステップをコンピュータに実行させるプログラム。